(57)【要約】【課題】画像形成装置を操作する候補者をより的確に抽出してログイン処理を実行する。【解決手段】画像形成装置１００に近づいて操作する操作者を撮像可能な撮像手段２０１を有し、撮像された画像に基づいて操作者についてのログイン処理を実行する画像形成装置１００は、撮像手段２０１による画像に複数の人が撮像されている場合に、画像において画像形成装置１００に対して視線を向けている人を操作の候補者として抽出し、視線に基づいて抽出した候補者についてログイン処理を実行する。【選択図】図１
2020006528.tif 000002
【特許請求の範囲】
【請求項１】
画像形成装置に近づいて操作する操作者を撮像可能な撮像手段を有し、撮像された画像に基づいて操作者についてのログイン処理を実行する画像形成装置であって、
前記撮像手段による前記画像に複数の人が撮像されている場合に、前記画像において前記画像形成装置に対して視線を向けている人を操作の候補者として抽出する視線抽出手段と、
前記視線抽出手段により視線に基づいて抽出された前記候補者についてログイン処理を実行するログイン手段と、
を有する、画像形成装置。
【請求項２】
前記視線抽出手段により視線に基づいて複数の前記候補者が抽出されている場合に、前記画像において前記画像形成装置に最も近い一人を操作の候補者として抽出する距離抽出手段、を有し、
前記ログイン手段は、前記距離抽出手段により視線および距離に基づいて抽出された一人の前記候補者についてログイン処理を実行する、
請求項１記載の画像形成装置。
【請求項３】
前記画像形成装置の近くにいる人を検出する人感センサと、
前記人感センサにより人が検知された場合に、前記撮像手段を含めて省電力状態にある前記画像形成装置を起動状態へ制御する制御手段と、を有し、
前記撮像手段は、前記制御手段により起動されることにより前記画像形成装置の近くにいる人の撮像を開始する、
請求項１または２記載の画像形成装置。
【請求項４】
前記撮像手段は、省電力状態にある前記画像形成装置において前記画像形成装置の近くにいる人を撮像し、
前記撮像手段が前記画像形成装置の近くにおいて前記画像形成装置へ視線を向けている人を撮像した場合に、省電力状態にある前記画像形成装置を起動状態へ制御する制御手段、を有し、
前記判断手段は、前記撮像手段により撮像された前記画像において、操作の前記候補者を判断する、
請求項１または２記載の画像形成装置。
【請求項５】
省電力状態にある前記画像形成装置において、
前記撮像手段により撮像される画像に、所定の検知範囲に対応した検知サイズで撮像される人の在否を検知する距離検知手段と、
前記距離検知手段により検知された人についての視線を前記画像に基づいて検知する視線検知手段と、を有し、
前記制御手段は、前記視線検知手段により前記画像形成装置に対して視線を向けている人が検知される場合に、前記画像形成装置を省電力状態から起動状態へ制御する、
請求項４記載の画像形成装置。
【請求項６】
前記撮像手段は、前記画像形成装置の上部に設けられる、
請求項１から５のいずれか一項記載の画像形成装置。
【請求項７】
画像形成装置に近づいて操作する操作者を撮像可能な撮像手段を有し、撮像された画像に基づいて操作者についてのログイン処理を実行する画像形成装置の制御方法であって、
前記画像に撮像されている人から操作の候補者を判断する判断工程と、
前記判断工程により判断された複数の候補者から、前記画像における前記画像形成装置に対する視線に基づいて操作の一次候補者を抽出する視線抽出工程と、
前記画像形成装置に対する視線に基づいて抽出された前記一次候補者についてログイン処理を実行するログイン工程と、
を有する、画像形成装置の制御方法。
【請求項８】
画像形成装置に近づいて操作する操作者を撮像可能な撮像手段を有し、撮像された画像に基づいて操作者についてのログイン処理を実行する画像形成装置の制御方法をコンピュータに実行させるプログラムであって、
前記画像形成装置の制御方法は、
前記画像に撮像されている人から操作の候補者を判断する判断工程と、
前記判断工程により判断された複数の候補者から、前記画像における前記画像形成装置に対する視線に基づいて操作の一次候補者を抽出する視線抽出工程と、
前記画像形成装置に対する視線に基づいて抽出された前記一次候補者についてログイン処理を実行するログイン工程と、
を有する、プログラム。
【発明の詳細な説明】
【技術分野】
【０００１】
本発明は、画像形成装置に関する。
【背景技術】
【０００２】
画像形成装置には、操作者が画像形成装置へ接近することを検出して画像形成装置を起動してログイン処理を実行するものがある（特許文献１）。
【先行技術文献】
【特許文献】
【０００３】
【特許文献１】特開２０１７−１７５５２５号公報
【発明の概要】
【発明が解決しようとする課題】
【０００４】
しかしながら、このように操作者が接近したことを検出してログインさせる操作者を特定する場合、実際に操作をしようとしている人とは異なる人を、操作者として誤って特定してしまうことがある。たとえば、オフィスでは、操作者ではない人が、操作者よりも画像形成装置に接近する可能性がある。この他にもたとえば、画像形成装置の近くに複数の人が存在する場合、その中から、たとえば接近した距離に基づいて操作者を適切に特定することは容易でない。このように、画像形成装置へ接近した距離を基本として操作者の有無を判断したり特定したりする場合、操作者とは異なる人を特定してログイン処理を実行してしまう可能性がある。このように画像形成装置では、操作の候補者をより的確に抽出してログイン処理を実行することが求められている。
【課題を解決するための手段】
【０００５】
本発明に係る画像形成装置は、画像形成装置に近づいて操作する操作者を撮像可能な撮像手段を有し、撮像された画像に基づいて操作者についてのログイン処理を実行する画像形成装置であって、前記撮像手段による前記画像に複数の人が撮像されている場合に、前記画像において前記画像形成装置に対して視線を向けている人を操作の候補者として抽出する視線抽出手段と、前記視線抽出手段により視線に基づいて抽出された前記候補者についてログイン処理を実行するログイン手段と、を有する。
【発明の効果】
【０００６】
本発明では、画像形成装置を操作する候補者をより的確に抽出してログイン処理を実行することができる。
【図面の簡単な説明】
【０００７】
【図１】本発明の第一実施形態に係る画像形成装置の外観図である。
【図２】図１の画像形成装置の制御用ハードウェアの概略構成図である。
【図３】図２の操作部の詳細な構成を示す図である。
【図４】図２のコントローラの詳細な構成を示す図である。
【図５】図２のカメラ部の詳細な構成を示す図である。
【図６】図２の人感センサの配置の説明図である。
【図７】第一実施形態における、操作前に画像形成装置を省電力状態から起動してログインを実行する一連の処理を示すフローチャートである。
【図８】図２のカメラ部の撮像画像に基づく視線抽出の説明図である。
【図９】本発明の第二実施形態におけるカメラ部による、大型の人についての接近検知の説明図である。
【図１０】カメラ部による、小型の人についての接近検知の説明図である。
【図１１】第二実施形態における、操作前に画像形成装置を省電力状態から起動してログインを実行する一連の処理を示すフローチャートである。
【発明を実施するための形態】
【０００８】
以下、本発明の実施形態について図面を参照しながら詳細に説明する。しかしながら、以下の実施形態に記載されている構成はあくまで例示に過ぎず、本発明の範囲は実施形態に記載されている構成によって限定されることはない。
【０００９】
［第一実施形態］
図１は、本発明の第一実施形態に係る画像形成装置１００の外観図である。図１の画像形成装置１００は、プリント機能、スキャナ機能、コピー機能、ＦＡＸ機能などの複数の機能を有する複合機である。画像形成装置１００は、装置の上部の前縁に、表示機能を有する操作部２０２が設けられる。操作部２０２の周囲には、画像形成装置１００の近くにいる人を検出するための人感センサ２０３、カメラ部２０１、が設けられる。人感センサ２０３は、たとえば、焦電型赤外線センサ、超音波センサ、赤外線アレイセンサである。人感センサ２０３は、画像形成装置１００の前へ向けて取り付けられる。人感センサ２０３は、画像形成装置１００の前を移動する操作者などを検出できる。カメラ部２０１は、操作部２０２の左寄りの位置において、前上へ向けて取り付けられる。カメラ部２０１は、画像形成装置１００の前方の画像を撮像できる。カメラ部２０１は、画像形成装置１００の前にいる操作者などを撮像可能である。カメラ部２０１の撮像画像には、画像形成装置１００を操作するためにログインする操作者の顔などが撮像され得る。
【００１０】
図２は、図１の画像形成装置１００の制御用ハードウェアの概略構成図である。図２の制御用ハードウェアは、カメラ部２０１、操作部２０２、人感センサ２０３、電源制御部２０４、コントローラ２０５、ＨＤＤ２０６、読取部２０７、印刷部２０８、ＬＡＮのＩＦ２０９、を有する。読取部２０７は、紙原稿を読み取る。印刷部２０８は、出力紙へ印刷する。コントローラ２０５は、画像形成装置１００の全体を制御する。ＨＤＤ２０６は、プログラムやデータを格納する。電源制御部２０４は、たとえば、カメラ部２０１、操作部２０２、人感センサ２０３、コントローラ２０５、読取部２０７、印刷部２０８といった画像形成装置１００の各部への電力供給を制御する。電源制御部２０４は、画像形成装置１００の全体へ電力を供給したり、画像形成装置１００の一部へ電力を供給したりする制御を実行する。画像形成装置１００は、その全体に電力が供給されることにより起動状態となる。また、画像形成装置１００は、たとえば人感センサ２０３、後述する人感センサデータＩＦ部４０８、およびＭＦＰ制御部４０１へ電力が供給され、その他の部分への電力供給が制限されることにより省電力状態となる。
【００１１】
図３は、図２の操作部２０２の詳細な構成を示す図である。図３の操作部２０２は、コントローラインターフェース部（以下コントローラＩ／Ｆ部）３０１、ＵＩ制御部３０２、表示部３０３、キー入力部３０４、スピーカ３０５、発光部３０６、メモリ部３０７、顔認証部３０８、電源制御ＩＦ部３０９、を有する。ＵＩ制御部３０２は、操作部２０２の各部を制御する。コントローラＩ／Ｆ部３０１、コントローラ２０５との通信を行う。表示部３０３は、文字や画像を表示する液晶表示パネルである。キー入力部３０４は、ボタン、テンキーを有する。スピーカ３０５は、ブザー音を出力する。発光部３０６は、たとえばＬＥＤである。メモリ部３０７は、コントローラ２０５から送付される認証用の顔データを保持する。顔データのオリジナルは、ユーザ登録時のカメラ部２０１の撮像画像に基づいて予め生成されて、ＨＤＤ２０６に保存されている。顔認証部３０８は、カメラ部２０１の撮像画像に含まれる顔画像と、メモリ部３０７に保持されている顔データとを照合して、ユーザを認証するである。電源制御ＩＦ部３０９は、電源制御部２０４の制御信号に応じて、操作部２０２の各部に対する電力供給を制御する。
【００１２】
図４は、図２のコントローラ２０５の詳細な構成を示す図である。図４のコントローラ２０５は、ＭＦＰ制御部４０１、読取画像処理部４０２、読取制御信号インターフェース部（読取制御信号Ｉ／Ｆ部）４０３、印刷画像処理部４０４、印刷制御信号インターフェース部（印刷制御信号ＩＦ部）４０５、を有する。また、コントローラ２０５は、ＵＩ送受信データＩＦ部４０６、電源制御ＩＦ部４０７、人感センサデータＩＦ部４０８、視線検知部４０９、を有する。ＭＦＰ制御部４０１は、ＣＰＵ４１１、ＲＯＭ４１２、ＲＡＭ４１３、タイマ４１４を有する。ＣＰＵ４１１は、ＲＯＭ４１２に記録されている制御プログラムをＲＡＭ４１３に読み込んで実行する。これにより、ＭＦＰ制御部４０１が実現される。タイマ４１４は、時間や時刻を計測する。ＭＦＰ制御部４０１は、画像形成装置１００の全体的な動作を制御する。読取制御信号Ｉ／Ｆ部４０３は、読取画像処理部４０２と読取部２０７との間を接続するインターフェース部である。読取画像処理部４０２は、ＭＦＰ制御部４０１の制御に基づいて、読取部２０７を制御して、画像の読取処理を実行する。印刷制御信号ＩＦ部４０５は、印刷画像処理部４０４と印刷部２０８との間を接続するインターフェース部である。印刷画像処理部４０４は、ＭＦＰ制御部４０１の制御に基づいて、印刷部２０８を制御して、画像の印刷処理を実行する。電源制御ＩＦ部４０７は、電源制御部２０４から制御信号を受け、コントローラ２０５の各部への電力供給を制御する。ＵＩ送受信データＩＦ部４０６は、操作部２０２と通信する。ＵＩ送受信データＩＦ部４０６は、操作部２０２へたとえば表示データを送信する。人感センサデータＩＦ部４０８は、人感センサ２０３と通信する。人感センサデータＩＦ部４０８は、人感センサ２０３からデータを受信し、ＭＦＰ制御部４０１へ出力する。視線検知部４０９は、カメラ部２０１により撮像された画像をＵＩ送受信データＩＦ部４０６から取得し、撮像画像に映る人についての、カメラ部２０１が設けられている画像形成装置１００の操作部２０２への視線を検知する。ＭＦＰ制御部４０１は、人感センサデータＩＦ部４０８から入力されるデータに基づいて、検知範囲内に人物が存在するか否かを判断する。ＭＦＰ制御部４０１は、人物の存否判断の結果に応じて、電源制御部２０４へ制御信号を送付する。電源制御部２０４は、カメラ部２０１、操作部２０２、ＵＩ送受信データＩＦ部４０６、視線検知部４０９、ＭＦＰ制御部４０１などへの電源供給を制御する。
【００１３】
ところで、このような画像形成装置１００において、電源制御部２０４は、ＭＦＰ制御部４０１の制御に基づいて、画像形成装置１００の各部への給電を制御する。電源制御部２０４の制御により、画像形成装置１００は、その全体へ電力が供給されている起動状態と、一部のみへ電力が供給されている省電力状態とに制御される。また、画像形成装置１００では、それを使用する際に操作者によるログイン処理を要求することを設定できる。そして、これらの機能を併せ持つ画像形成装置１００では、操作者は、省電力状態にある画像形成装置１００を起動させる操作をし、さらにログイン処理のための操作をしなければならない。このため、画像形成装置１００では、人感センサ２０３により操作者を検出して省電力状態にある画像形成装置１００を起動し、さらに起動した画像形成装置１００のカメラ部２０１により操作者を撮像してログイン処理を実行することが考えられる。これにより、操作者が操作を開始する前に、操作者についての画像形成装置１００への接近により画像形成装置１００を自動的に起動し、さらに操作者についてのログイン処理を自動的に実行することができる。しかしながら、このように操作者が画像形成装置１００に接近したことを検出してログインさせる操作者を特定する場合、実際に操作をしようとしている人とは異なる人を、操作者として誤って特定してしまうことがある。たとえば、オフィスでは、操作者ではない人が、操作者よりも画像形成装置１００に接近する可能性がある。この他にもたとえば、画像形成装置１００の近くに複数の人が存在する場合、その複数の人の中から操作者を適切に特定するもできない。このように、画像形成装置１００への接近を基本にして操作者を特定した場合、操作者とは異なる人についてのログイン処理を実行してしまう可能性がある。このように画像形成装置１００では、より的確に、操作前に操作の候補者を抽出してログイン処理を実行できるようにすることが求められている。
【００１４】
図５は、図２のカメラ部２０１の詳細な構成を示す図である。図５のカメラ部２０１は、コントローラ部５０１、撮像部５０２、画像処理部５０３、通信部５０４、電源制御ＩＦ部５０５、を有する。カメラ部２０１は、図１においても説明したように、画像形成装置１００の上部において操作部２０２の近くに設けられる。コントローラ部５０１は、カメラ部２０１の各部を制御する。撮像部５０２は、ＣＣＤなどの撮像素子を備え、画像を撮像する。画像処理部５０３は、撮像画像について、顔認証のための切り出し処理などを実行する。通信部５０４は、撮像画像およびそれに付随する顔認証のための切り出し情報などを、操作部２０２などへ送信する。電源制御ＩＦ部５０５は、カメラ部２０１の各部への電力供給を制御する。
【００１５】
図６は、図２の人感センサ２０３の配置の説明図である。図６において扇形の点線枠により示すように、人感センサ２０３は、画像形成装置１００の前に設定された検知範囲ＡＲＥ１について、動く人物などを検出する。そして、ＭＦＰ制御部４０１は、たとえば人感センサ２０３が出力する赤外線の強度信号の値が閾値以上であれば、検知範囲ＡＲＥ１内に人物が存在すると判断することができる。
【００１６】
図７は、第一実施形態における、操作前に画像形成装置１００を省電力状態から起動してログインを実行する一連の処理を示すフローチャートである。ＭＦＰ制御部４０１は、省電力状態にある画像形成装置１００において、図７の処理を繰り返し実行する。ステップ（Ｓ８０１）において、ＭＦＰ制御部４０１は、画像形成装置１００が省電力状態にあることを確認する。ステップ（Ｓ８０２）において、ＭＦＰ制御部４０１は、省電力状態にある画像形成装置１００において人感センサ２０３をオン状態に制御する。また、ＭＦＰ制御部４０１は、カメラ部２０１をＯＦＦ状態に制御する。これにより、画像形成装置１００は、省電力状態においては、カメラ部２０１を含めて停止した状態になる。ステップ（Ｓ８０３）において、ＭＦＰ制御部４０１は、オン状態にした人感センサ２０３により人が検知されているか否かを判断する。人感センサ２０３が人を検知していない場合、ＭＦＰ制御部４０１は、ステップ（Ｓ８０２）およびステップ（Ｓ８０３）の処理を繰り返す。人感センサ２０３が人を検知している場合、ＭＦＰ制御部４０１は、処理をステップ（Ｓ８０４）に進める。ステップ（Ｓ８０４）において、ＭＦＰ制御部４０１は、カメラ部２０１がオン状態であるか否かを判断する。カメラ部２０１がオン状態である場合、ＭＦＰ制御部４０１は、処理をステップ（Ｓ８０６）へ進める。カメラ部２０１がオン状態でない場合、ステップ（Ｓ８０５）において、ＭＦＰ制御部４０１は、カメラ部２０１をオン状態に制御する。ステップ（Ｓ８０６）において、ＭＦＰ制御部４０１は、オン状態にあるカメラ部２０１により撮像された画像に基づいて、人が撮像されているか否かを判断する。人が撮像されている場合、ＭＦＰ制御部４０１は、処理をステップ（Ｓ８０７）へ進める。人が撮像されていない場合、ＭＦＰ制御部４０１は、処理をステップ（Ｓ８０３）へ戻す。ＭＦＰ制御部４０１は、以上の処理を繰り返す。ステップ（Ｓ８０７）において、ＭＦＰ制御部４０１は、オン状態にあるカメラ部２０１により撮像された画像に基づいて、視線抽出処理により、撮像されている人についての視線を検出する。ＭＦＰ制御部４０１は、たとえば目の画像解析により黒目部分とその周囲の白目部分とを特定し、黒目部分と白目部分との相対的な位置関係に基づいて、視線を検出すればよい。
【００１７】
図８は、図２のカメラ部２０１の撮像画像に基づく視線検出処理を模式的に説明する図である。同図において視線は、目と重なる点状または線状の図形により示されている。図８（ａ）の撮像画像には、一人の顔が正面を向いている。そして、視線は、ずれずに正面を向いている。この場合、ＭＦＰ制御部４０１は、画像に撮像されている一人の視線を点状に検出し、視線が画像形成装置１００へ向いていると検知する。ＭＦＰ制御部４０１は、一人の操作者を抽出する。図８（ｂ）の撮像画像には、一人の顔が正面を向いている。そして、視線は、上を向いている。この場合、ＭＦＰ制御部４０１は、画像に撮像されている一人の視線を線状に検出し、視線が画像形成装置１００へ向いていないと検知する。ＭＦＰ制御部４０１は、操作者を抽出しない。図８（ｃ）の撮像画像には、一人の顔が正面を向いている。そして、視線は、下を向いている。この場合、ＭＦＰ制御部４０１は、画像に撮像されている一人の視線を線状に検出し、視線が画像形成装置１００へ向いていないと検知する。ＭＦＰ制御部４０１は、操作者を抽出しない。図８（ｄ）の撮像画像には、一人の顔が正面を向いている。そして、視線は、図の左を向いている。この場合、ＭＦＰ制御部４０１は、画像に撮像されている一人の視線を線状に検出し、視線が画像形成装置１００へ向いていないと検知する。ＭＦＰ制御部４０１は、操作者を抽出しない。図８（ｅ）の撮像画像には、一人の顔が正面を向いている。そして、視線は、図の右を向いている。この場合、ＭＦＰ制御部４０１は、画像に撮像されている一人の視線を線状に検出し、視線が画像形成装置１００へ向いていないと検知する。ＭＦＰ制御部４０１は、操作者を抽出しない。図８（ｆ）の撮像画像には、二人の顔が正面を向いている。そして、図の左側の人の視線は、正面を向き、右側の人は右を向いている。この場合、ＭＦＰ制御部４０１は、画像に撮像されている左側の人の視線を点状に検出し、視線が画像形成装置１００へ向いていると検知する。ＭＦＰ制御部４０１は、画像に撮像されている左側の人を、抽出する。図８（ｇ）の撮像画像には、二人の顔が正面を向いている。そして、図の左側の人の視線は、左を向き、右側の人は右を向いている。この場合、ＭＦＰ制御部４０１は、画像に撮像されている双方の人の視線を線状に検出し、視線が画像形成装置１００へ向いていないと検知する。ＭＦＰ制御部４０１は、操作者を抽出しない。そして、画像形成装置１００の操作部２０２へ向けた視線を検知された人が存在する場合、ＭＦＰ制御部４０１は、処理をステップ（Ｓ８０８）へ進める。画像形成装置１００の操作部２０２へ向けた視線を検知された人が存在しない場合、ＭＦＰ制御部４０１は、処理をステップ（Ｓ８０３）へ戻す。ＭＦＰ制御部４０１は、以上の処理を繰り返す。このように、ＭＦＰ制御部４０１は、ステップ（Ｓ８０６）およびステップ（Ｓ８０７）の処理により、画像に撮像されている人から、画像形成装置１００に対して視線を向けている操作の候補者を判断する。
【００１８】
図７のステップ（Ｓ８０８）において、ＭＦＰ制御部４０１は、画像形成装置１００を起動させる。これにより、カメラ部２０１を含めて停止した省電力状態にある画像形成装置１００は、起動状態に復帰する。また、起動状態に復帰した画像形成装置１００において、カメラ部２０１は、画像形成装置１００に近づいて操作する操作者の撮像を開始する。ステップ（Ｓ８０９）において、ＭＦＰ制御部４０１は、画像形成装置１００の操作部２０２へ視線を向けている人が、複数で検知されたか否かを判断する。画像形成装置１００の操作部２０２へ視線を向けている人が複数人である場合、ＭＦＰ制御部４０１は、処理をステップ（Ｓ８１０）へ進める。画像形成装置１００の操作部２０２へ視線を向けている人が一人である場合、ＭＦＰ制御部４０１は、その人を操作の候補者として、処理をステップ（Ｓ８１１）へ進める。ステップ（Ｓ８１０）において、ＭＦＰ制御部４０１は、距離抽出処理により、画像形成装置１００の操作部２０２へ視線を向けている複数の人の中から、ユーザ認証に用いる一人の操作の候補者を抽出する。候補者の抽出処理のステップ（Ｓ８２１）において、ＭＦＰ制御部４０１は、まず、画像形成装置１００の操作部２０２へ向けた視線を検知された人（一次候補者）が複数であるか否かを判断する。画像形成装置１００の操作部２０２へ向けた視線を検知された人が一人である場合、ＭＦＰ制御部４０１は、ステップ（Ｓ８２２）において、その視線が検知された一次候補者を、操作の候補者として抽出する。画像形成装置１００の操作部２０２へ向けた視線を検知された人が複数である場合、ＭＦＰ制御部４０１は、ステップ（Ｓ８２３）において、その複数の人の中から、画像形成装置１００に最も近い人を二次候補者として抽出する。この場合、ＭＦＰ制御部４０１は、抽出した二次候補者を、操作の候補者として抽出することになる。ＭＦＰ制御部４０１は、距離よりも視線を優先して候補者を抽出する。その後、ＭＦＰ制御部４０１は、処理をステップ（Ｓ８１１）へ進める。検知または抽出された一人を操作の候補者として選択すると、ＭＦＰ制御部４０１は、ログイン処理を開始する。ログイン処理のステップ（Ｓ８１１）において、ＭＦＰ制御部４０１は、ユーザ認証処理を実行する。ＭＦＰ制御部４０１は、検知した画像における顔の画像と、予めユーザ登録されている顔の画像とを比較して合致度を得る。ステップ（Ｓ８１２）において、ＭＦＰ制御部４０１は、ユーザ認証が成功したか否かを判断する。ＭＦＰ制御部４０１は、たとえば取得した合致度が所定の閾値より小さい場合、ユーザ認証が成功しなかったと判断し、図７の処理を終了する。ＭＦＰ制御部４０１は、たとえば取得した合致度が所定の閾値以上である場合、ユーザ認証が成功したと判断し、処理をステップ（Ｓ８１３）へ進める。ステップ（Ｓ８１３）において、ＭＦＰ制御部４０１は、認証されたユーザの設定情報を画像形成装置１００に設定するログイン処理を実行する。これにより、画像形成装置１００は、省電力状態から起動状態へ復帰し、認証されたユーザがログインした状態になる。
【００１９】
以上のように、本実施形態では、カメラ部２０１の撮像画像において複数の人が撮像されている場合には、画像形成装置１００に対して視線を向けている人を操作の候補者として抽出する。また、視線に基づいて複数の候補者が抽出されている場合には、さらに、画像形成装置１００に最も近い一人を候補者として抽出する。したがって、ログイン手段は、画像形成装置１００に対して視線を向けている人、またはさらに画像形成装置１００の最も近くに存在する人を候補者として抽出してログイン処理を実行することができる。よって、画像形成装置１００は、単に画像形成装置１００の近くにいて操作をしようとしていない人より、画像形成装置１００を操作しようとしている人を優先してログイン処理を実行することができる。画像形成装置１００は、操作前に、画像形成装置１００を操作しようとして画像形成装置１００の近くにいる人を的確に抽出してログイン処理を実行することができる。本実施形態では、人感センサ２０３により画像形成装置１００の近くにいる人を検出すると、カメラ部２０１を含めて省電力状態にある画像形成装置１００が起動状態へ制御される。そして、カメラ部２０１は、起動されることにより画像形成装置１００の近くにいる人の撮像を開始する。また、画像形成装置１００は、カメラ部２０１により撮像される画像に撮像される人から、操作の候補者を抽出する。これにより、画像形成装置１００の近くにおいて操作しようとしている人が存在する場合、省電力状態にある画像形成装置１００を起動状態に復帰させて、起動状態にあるカメラ部２０１によりその操作者を撮像してログイン処理を実行することができる。また、本実施形態では、カメラ部２０１が、ログイン処理のために画像形成装置１００の上部に設けられたカメラ部２０１を用いて、操作のために画像形成装置１００へ近づく人を好適に撮像することができる。そして、画像形成装置１００へ近づく人を判断するための画像と、ログイン処理のための画像とを、共通の１つのカメラ部２０１により撮像することが可能になる。
【００２０】
［第二実施形態］
次に、本発明の第２実施形態に係る画像形成装置１００を説明する。以下の説明では、主に第一実施形態との相違点について説明する。本実施形態の画像形成装置１００は、図１の人感センサ２０３を持たない。カメラ部２０１は、省電力状態にある画像形成装置１００において起動し続ける。ＭＦＰ制御部４０１は、画像形成装置１００の省電力状態において、カメラ部２０１の撮像画像に基づいて、画像形成装置１００に対して検知範囲の範囲に近づいた操作者を検出する。
【００２１】
図９は、画像形成装置１００に対して接近する大型の人についての画像形成装置１００からの距離と、カメラ部２０１の撮像画像との関係を模式的に説明する図である。図１０は、画像形成装置１００に対して接近する小型の人についての画像形成装置１００からの距離と、カメラ部２０１の撮像画像との関係を模式的に説明する図である。図９（ａ）および図１０（ａ）は、画像形成装置１００から操作者までの距離関係を示す説明図である。同図に点線で示すように、カメラ部２０１は、画像形成装置１００の上部から、前上方向を向いて撮像する。ＭＦＰ制御部４０１は、画像形成装置１００に対して、画像形成装置１００に最も近づく最短検知範囲と画像形成装置１００から最も離れる最長検知範囲との検知範囲内に近づいた操作者を検出する。ここで、最長検知範囲は、たとえば小型の人の手が操作部２０２に届く距離でよい。図９（ｂ）および図１０（ｂ）は、最短検知範囲での、カメラ部２０１の撮像画像である。図９（ｃ）および図１０（ｃ）は、最長検知範囲での、カメラ部２０１の撮像画像である。図９（ｄ）および図１０（ｄ）は、最長検知範囲を超えた距離での、カメラ部２０１の撮像画像である。そして、図９（ｂ）に示すように、大型の操作者が最短検知範囲で近づいている場合に、カメラ部２０１の撮像画像には、操作者の顔が最も大きく撮像され得る。また、図１０（ｃ）に示すように、小型の操作者が最長検知範囲で近づいている場合に、カメラ部２０１の撮像画像には、操作者の顔が最も小さく撮像され得る。ＭＦＰ制御部４０１は、画像に撮像されている人の画像中の高さ、幅、および面積といった撮像サイズに基づいて、操作者であるか否かを判断する。そして、ＭＦＰ制御部４０１は、カメラ部２０１で撮像される画像における人の撮像サイズが、図９（ｂ）から図１０（ｃ）の検知範囲に対応する判断サイズの範囲内である場合、その撮像された人を操作者と判断する。なお、高さ、幅、および面積といった検知範囲に対応する判断サイズの範囲の値は、たとえばＨＤＤ２０６に予め保存すればよい。これにより、ＭＦＰ制御部４０１は、図（ｄ）や図１０（ｄ）のように操作に適さない距離にいる人を、操作者と判断しないようにできる。
【００２２】
図１１は、第二実施形態における、操作前に画像形成装置１００を省電力状態から起動してログインを実行する一連の処理を示すフローチャートである。ＭＦＰ制御部４０１は、省電力状態にある画像形成装置１００において、図７の処理を繰り返し実行する。ステップ（Ｓ１１０１）において、ＭＦＰ制御部４０１は、画像形成装置１００が省電力状態にあることを確認する。ステップ（Ｓ１１０２）において、ＭＦＰ制御部４０１は、省電力状態にある画像形成装置１００において、カメラ部２０１をオン状態に制御する。これにより、カメラ部２０１は、省電力状態の画像形成装置１００において撮像を開始する。ステップ（Ｓ１１０３）において、ＭＦＰ制御部４０１は、オン状態にしたカメラ部２０１により人が検知されているか否かを判断する。カメラ部２０１が人を検知していない場合、ＭＦＰ制御部４０１は、ステップ（Ｓ１１０３）の処理を繰り返す。カメラ部２０１が人を検知している場合、ＭＦＰ制御部４０１は、処理をステップ（Ｓ１１０４）に進める。ステップ（Ｓ１１０４）において、ＭＦＰ制御部４０１は、距離検知処理により、カメラ部２０１で撮像される画像における人の高さ、幅、および面積に基づいて、撮像されている人が、操作者を検知する検知範囲内であるか否かを判断する。ＭＦＰ制御部４０１は、たとえば高さ、幅、および面積のすべてが、それぞれについて予め設定されている値の範囲以内である場合に、撮像されている人が、操作者を検知する検知範囲内であると判断し、それ以外の場合には検知範囲内ではないと判断する。カメラ部２０１で撮像される画像における人が検知範囲内ではない場合、ＭＦＰ制御部４０１は、処理をステップ（Ｓ１１０３）へ戻す。カメラ部２０１で撮像される画像における人が検知範囲内である場合、ＭＦＰ制御部４０１は、処理をステップ（Ｓ８０７）へ進める。ステップ（Ｓ８０７）の視線検知処理、およびステップ（Ｓ８０８）からステップ（Ｓ８１３）までの処理は、図７と同様である。
【００２３】
以上のように、本実施形態では、カメラ部２０１は、省電力状態にある画像形成装置１００の近くにおいて画像形成装置１００へ視線を向けている人を撮像する。そして、そのような人が撮像された場合には、ＭＦＰ制御部４０１は、省電力状態にある画像形成装置１００を起動状態へ制御する。これにより、画像形成装置１００に近づいて操作しようとしている人が存在する場合、ＭＦＰ制御部４０１は、省電力状態にある画像形成装置１００を起動状態に復帰させて、その操作者をカメラ部２０１により撮像して事前のログイン状態にすることができる。たとえば装置から遠く離れている人が画像形成装置１００の方へ向いていたとしても、ＭＦＰ制御部４０１は、その人を候補者として判断しないようにできる。このように、本実施形態では、画像形成装置１００の周囲に存在する無関係の人について、無駄に画像形成装置１００を省電力状態から復帰させてログイン処理を実行しないようにできる。また、本実施形態では、画像形成装置１００から離れた位置で画像形成装置１００の方を向いている人について、無駄に画像形成装置１００を省電力状態から復帰させてログイン処理を実行しないようにできる。また、画像形成装置１００の近くを通り過ぎる人について、無駄に画像形成装置１００を省電力状態から復帰させてログイン処理を実行しないようにできる。しかも、本実施形態では、ＭＦＰ制御部４０１は、操作のために画像形成装置１００の近くにきた人について適切にログイン処理を実行することができる。本実施形態のＭＦＰ制御部４０１は、省電力状態にある画像形成装置１００において、カメラ部２０１の撮像画像に、所定の検知範囲に対応した検知サイズで撮像される人の在否を検知し、さらに検知された人についての視線を画像に基づいて検知する。そして、ＭＦＰ制御部４０１は、画像形成装置１００に対して視線を向けている人が検知される場合に、画像形成装置１００を省電力状態から起動状態へ制御する。これにより、画像形成装置１００に視線を向けて近づく人が存在する場合、省電力状態にある画像形成装置１００を起動状態に復帰させることができる。
【００２４】
以上、本発明をその好適な実施形態に基づいて詳述してきたが、本発明はこれら特定の実施形態に限られるものではなく、この発明の要旨を逸脱しない範囲の様々な形態も本発明に含まれる。
【００２５】
上述した実施形態では、ＭＦＰ制御部４０１は、撮像画像において所定の判断サイズで撮像されている人から、画像形成装置１００に対して視線を向けている人を一次候補者として抽出する。また、ＭＦＰ制御部４０１は、複数の一次候補者を抽出した場合には、画像形成装置１００に最も近い一人を二次候補者として抽出し、この二次候補者についてログイン処理を実行する。この他にもたとえば、ＭＦＰ制御部４０１は、撮像画像において所定の判断サイズで撮像されている人から、画像形成装置１００に対して視線を向けている一人を一次候補者として抽出し、この一次候補者についてログイン処理を実行してもよい。
【００２６】
本発明は、上述の実施の形態の１以上の機能を実現するプログラムを、ネットワークや記憶媒体を介してシステムや装置に供給し、そのシステム又は装置のコンピュータの１つ以上のプロセッサーがプログラムを読み出して実行する処理でも実現可能である。また、本発明は、１以上の機能を実現する回路（たとえば、ＡＳＩＣ）によっても実現可能である。
【符号の説明】
【００２７】
１００  画像形成装置
２０１  カメラ部
２０２  操作部
２０３  人感センサ
４０１  ＭＦＰ制御部
４１１  ＣＰＵ
４１２  ＲＯＭ
４１３  ＲＡＭ
【図１】
2020006528.tif 000003
【図２】
2020006528.tif 000004
【図３】
2020006528.tif 000005
【図４】
2020006528.tif 000006
【図５】
2020006528.tif 000007
【図６】
2020006528.tif 000008
【図７】
2020006528.tif 000009
【図８】
2020006528.tif 000010
【図９】
2020006528.tif 000011
【図１０】
2020006528.tif 000012
【図１１】
2020006528.tif 000013